(57)【特許請求の範囲】
【請求項１】
外枠と、前記外枠の前面に前方へ開閉可能に取り付けられた前枠と、前記前枠の閉時に外枠内となる前枠の後側に固定されて遊技盤が着脱可能に装着される基枠と、前記基枠の一側縁に軸着部材で連結されて当該基枠後側に対し軸着部材で開閉可能にされた機構板とを備え、前記前枠及び前記機構板の閉時に該機構板の少なくとも前側が前記外枠内に収容される遊技機において、
前記軸着部材は、軸部が形成された軸部材と該軸部材を回転可能に支持する軸受部が形成された軸受部材とにより構成され、前記基枠と前記機構板の連結側一側縁の何れか一方に前記軸部材、他方に前記軸受部材が設けられ、
前記前枠閉状態での前記機構板の開放時に該機構板の軸着部材側外面が前記外枠の軸着部材側後縁と干渉しないように、前記基枠に設けられた前記軸部材或いは前記軸受部材に前後方向へスライド可能とするスライド部と該スライド部の前部に突出した外れ防止用突部を形成し、
前記軸部材或いは前記軸受部材を設けた前記基枠の一側縁に、前記スライド部が前後方向にスライド可能にはまる大きさのスライド部用凹部と、前記外れ防止用突部が前記基枠の後端近くまで前後方向にスライド可能にはまる大きさで前記スライド部用凹部よりも前後の幅を短くすると共に深さを深くして前記スライド部用凹部に形成された外れ防止用突部用凹部と、によって階段状凹部を形成し、
前記階段状凹部には前記スライド部用凹部よりも深さが浅く上下幅が広い凹部が形成され、該凹部は前記スライド部用凹部に蓋をする取付プレートがはまる大きさに形成されると共に前記取付プレートが固定され、
前記スライド部及び前記外れ防止用突部が前記階段状凹部と前記取付プレートとの間をスライドすることにより、前記軸着部材の回転中心位置が移動すると共に、前記外れ防止用突部が前記外れ防止用突部用凹部の後端に衝突して前記スライド部及び前記外れ防止用突部が前記基枠後方へスライドすることを阻止することを特徴とする遊技機。
【請求項２】
軸着部材の回転中心位置が、少なくとも前枠閉状態での機構板の開放時に、外枠の軸着部材側における側部後面と面一または側部後面よりも外枠後方に位置することを特徴とする請求項１に記載の遊技機。
【発明の詳細な説明】
【０００１】
【発明の属する技術分野】
本発明は、遊技機に関し、特には外枠と、前記外枠の前面に前方へ開閉可能に取り付けられた前枠と、前記前枠の閉時に外枠内となる前枠の後側に固定されて遊技盤が着脱可能に装着される基枠と、前記基枠の一側縁に軸着部材で連結されて当該基枠後側に対し軸着部材で開閉可能にされた機構板とを備え、前記前枠及び機構板の閉時に機構板の少なくとも前側が外枠内に収容される遊技機に関する。
【０００２】
【従来の技術】
従来、パチンコ遊技機等の遊技機は、図１０に概略を示すように、外枠７１と、前記外枠７１の前面に前方へ開閉可能に取り付けられた前枠７３と、前記前枠７３の閉時に外枠７１内となる前枠７３の後側に固定されて遊技盤（図示せず）が着脱可能に装着される基枠７５と、前記基枠７５の一側縁７６に軸着部材７７で連結されて当該基枠７５の後側に対し開閉可能にされた機構板７８とを備え、前記前枠７３及び機構板７８の閉時に機構板７８の少なくとも前側７９が外枠７１内に収容されるようにした基本構造のものが一般的である。符号８１は、ガラス扉である。
【０００３】
前記遊技機は、製造やメンテナンスなどの際に、前記外枠７１や前枠７３等の部材が組み付けられた状態で、後側から機構板７８の取り付けや取り外しが行われたり、各部の修理や調整が行われたりする。
【０００４】
【発明が解決しようとする課題】
しかしながら、このような従来の遊技機においては、前記機構板７８の着脱や、各部の修理等の際に、図１１の図ａ、図ｂに示すように、前記軸着部材７７の軸支位置を回転中心として機構板７８を後方へ回転させ、開放しようとすると、前記機構板７８の軸着部材側外面８２が外枠７１の後縁と干渉して機構板７８を僅かしか開けられず、前記着脱作業や修理作業がしづらかった。そのため、従来では、一旦、前記外枠７１の前方へ前枠７３を開放したり、外したりした後に、前記機構板７８の開閉や着脱作業を行っており、手間が掛かる問題があった。
【０００５】
本発明はこのような状況に鑑みなされたもので、外枠に対して前枠を外したり開放したりすることなく、前枠を閉じた状態で機構板を後方側へ大きく開放して着脱作業や修理を容易に行える遊技機を提供する。
【０００６】
【課題を解決するための手段】
請求項１の発明は、外枠と、前記外枠の前面に前方へ開閉可能に取り付けられた前枠と、前記前枠の閉時に外枠内となる前枠の後側に固定されて遊技盤が着脱可能に装着される基枠と、前記基枠の一側縁に軸着部材で連結されて当該基枠後側に対し軸着部材で開閉可能にされた機構板とを備え、前記前枠及び前記機構板の閉時に該機構板の少なくとも前側が前記外枠内に収容される遊技機において、前記軸着部材は、軸部が形成された軸部材と該軸部材を回転可能に支持する軸受部が形成された軸受部材とにより構成され、前記基枠と前記機構板の連結側一側縁の何れか一方に前記軸部材、他方に前記軸受部材が設けられ、前記前枠閉状態での前記機構板の開放時に該機構板の軸着部材側外面が前記外枠の軸着部材側後縁と干渉しないように、前記基枠に設けられた前記軸部材或いは前記軸受部材に前後方向へスライド可能とするスライド部と該スライド部の前部に突出した外れ防止用突部を形成し、前記軸部材或いは前記軸受部材を設けた前記基枠の一側縁に、前記スライド部が前後方向にスライド可能にはまる大きさのスライド部用凹部と、前記外れ防止用突部が前記基枠の後端近くまで前後方向にスライド可能にはまる大きさで前記スライド部用凹部よりも前後の幅を短くすると共に深さを深くして前記スライド部用凹部に形成された外れ防止用突部用凹部と、によって階段状凹部を形成し、前記階段状凹部には前記スライド部用凹部よりも深さが浅く上下幅が広い凹部が形成され、該凹部は前記スライド部用凹部に蓋をする取付プレートがはまる大きさに形成されると共に前記取付プレートが固定され、前記スライド部及び前記外れ防止用突部が前記階段状凹部と前記取付プレートとの間をスライドすることにより、前記軸着部材の回転中心位置が移動すると共に、前記外れ防止用突部が前記外れ防止用突部用凹部の後端に衝突して前記スライド部及び前記外れ防止用突部が前記基枠後方へスライドすることを阻止することを特徴とする遊技機に係る。
【０００７】
請求項２の発明は、請求項１において、軸着部材の回転中心位置が、少なくとも前枠閉状態での機構板の開放時に、外枠の軸着部材側における側部後面と面一または側部後面よりも外枠後方に位置することを特徴とする。
【０００８】
【発明の実施の形態】
以下添付の図面に基づき本発明の好適な実施形態を説明する。図１は本発明の実施例及び各参考例の遊技機を示す正面図、図２は第１参考例に係る遊技機の概略横断面図、図３は第１参考例における軸着部材の分解斜視図、図４は実施例に係る遊技機の概略横断面図、図５は実施例における軸着部材付近の概略斜視図、図６は実施例における軸着部材の分解斜視図、図７は第２参考例に係る遊技機の概略横断面図、図８は第２参考例における軸着部材の分解斜視図、図９はさらに他の参考例に係る軸着部材の分解斜視図である。
【０００９】
図１は、この発明の実施例と第１参考例及び第２参考例に係るパチンコ遊技機１Ａ〜１Ｃの正面図である。なお、実施例と第１参考例及び第２参考例における同じ部分は同一符号を用いて示す。まず、遊技機１Ａ，１Ｂ，１Ｃにおける共通の構成を説明する。遊技機１Ａ，１Ｂ，１Ｃは、外枠２内に遊技盤３が着脱交換可能に収容されており、その遊技盤３の縁に遊技球の外側ガイドレール４及び内側ガイドレール５が略円形に立設され、前記内側ガイドレール５によって囲まれた遊技領域６に、普通図柄表示装置８、特別図柄表示装置９、各種の入賞口及び発射装置３１等を備える。
【００１０】
入賞口としては、特別図柄表示装置９の下方に上側第１種始動入賞口１０、普通電動役物で可動片を有する下側第１種始動入賞口１１、特別電動役物である大入賞口１５が配設され、また、前記上側及び下側第１種始動入賞口１０，１１の左右には左袖入賞口２３と右袖入賞口２５、前記大入賞口１５の両側には左落とし入賞口２７と右落とし入賞口２９が配設されている。そして、発射装置３１の操作ハンドル３２の操作により発射された遊技球が外側ガイドレール４と内側ガイドレール５間の通路を通って遊技領域内に発射され、転動しながら落下し、前記入賞口へ入ると、所定数の賞球遊技球が球払出口３６から上受け皿３８上に払い出されるようになっている。
【００１１】
前記特別図柄表示装置９の左右には普通図柄変動開始用左ゲート１９及び普通図柄変動開始用右ゲート２１が設けられ、該普通図柄変動開始用左ゲート１９及び普通図柄変動開始用右ゲート２１に遊技球が入球することにより前記普通図柄表示装置８で普通図柄が変動し、特定の普通図柄で停止することによって、小当たりとなって、前記下側第１種始動入賞口１１が拡開開放し遊技球が入球し易くなる。
【００１２】
また、前記第１種始動入賞口１０，１１に遊技球が入球すると、前記特別図柄表示装置９で特別図柄が変動し、特定の組合せの図柄で停止すると、大当たりになって大入賞口１５が所定回数開閉を繰り返して遊技球を入球し易くし、入球ごとに所定数の遊技球が払い出されるようになっている。
【００１３】
この発明の具体的構成を実施例に基づいて説明する。図４は、図１に示した実施例の遊技機１Ｂにおける概略横断面図であって、図ａは機構板の開放時、図ｂは閉時である。この実施例の遊技機１Ｂにおいて、外枠２、前枠４１、機構板４５及びガラス扉４２は、後述する第１参考例で説明するものとほぼ同じである。なお、図示の外枠２は、機構板４５の軸着部材側となる一側縁（この実施例では左側側部）の後部内面が削られて、後記軸着部材６０Ｂの邪魔にならないように窪みＧが形成されている。以下に後述する第１参考例とは異なる部分を主として説明する。
【００１４】
前記外枠２の後側には、第１参考例と同様に、前記前枠４１を外枠２に対して閉じた時に外枠２内となる位置に基枠４３Ｂが固定される。この実施例における基枠４３Ｂは、前記機構板４５の取り付け側（連結側）となる一側縁（この実施例では左側側部）を含む全体が、外枠２内に位置するようになっている。そして、前記基枠４３Ｂの一側縁（左側側部）に、実施例の軸着部材６０Ｂを介して前記機構板４５の一側縁（この実施例では左側側部）が連結され、該機構板４５が開閉可能とされている。
【００１５】
実施例の軸着部材６０Ｂは、図４の図ａと図５及び図６からよりよく理解されるように、前記機構板４５の一側縁（左側側部）に取り付けられる軸部材６１Ｂと、前記基枠４３Ｂの一側縁（左側側部）に取り付けられる軸受部材６６Ｂとよりなる。
【００１６】
前記軸部材６１Ｂは、第１参考例の軸部材６１Ａと同様の形状からなり、水平面６２Ｂと垂直面６３ＢとよりなるＬ字状に屈曲した金具の水平面６２Ｂに下向きに軸部６４Ｂが形成され、前記垂直面６３Ｂに形成された固定用孔６５Ｂに挿入したネジによって、前記機構板４５の一側縁（左側側部）における前側の上下２箇所にそれぞれ取り付けられている。
【００１７】
前記軸受部材６６Ｂは、前後方向に沿うスライド部６７Ｂと、該スライド部６７Ｂにおける後部の一側側面からほぼ水平方向の斜め後側へ突出した軸受部６８Ｂとよりなり、該軸受部６８Ｂの後部には上下に貫通する孔が軸部挿通支持部６９Ｂとして形成され、また該軸受部６８Ｂとは反対側へ突出する外れ防止用突部７０Ｂが前記スライド部６７Ｂの前部に形成されている。なお、この実施例では、長手方向を前後方向にして垂直にされるほぼ長方形の金属板を、切り込みｅ位置で折り曲げ等により加工して軸受部材６６Ｂが形成されている。
【００１８】
前記軸受部材６６Ｂが取り付けられる部位、すなわち前記軸部材６１Ｂと対応する基枠４３Ｂの一側縁（左側側部）の上下２箇所には、深さが異なる３段の階段状凹部が前後方向に形成されている。最も浅い第１凹部４７Ｂは、後記する取付プレート５０Ｂがはまる大きさに形成されている。深さが中の第２凹部４８Ｂは、前記軸受部材６６Ｂのスライド部６７Ｂが前後スライド可能にはまる大きさとされ、前記第１凹部４７Ｂの中央位置に基枠４３Ｂの側部後端まで前後方向に形成されている。最も深い第３凹部４９Ｂは、前記軸受部材６６Ｂの外れ防止用突部７０Ｂが前後スライド可能にはまる大きさで、前記第２凹部４８Ｂの中央位置に基枠４３Ｂの後端近くまで形成されている。
【００１９】
前記第３凹部４９Ｂに軸受部材６６Ｂの外れ防止用突部７０Ｂがはまるようにして軸受部材６６Ｂが前記第２凹部４８Ｂにはめられる。その際、前記軸受部６８Ｂが基枠４３Ｂの後方側となるようにされる。そして、前記軸受部材６６Ｂのはまっている第２凹部４８Ｂに蓋をするようにして取付プレート５０Ｂが第１凹部４７Ｂにはめられ、前記軸受部材６６Ｂの前後スライドを妨げない位置に形成された取付孔５１Ｂに挿入したネジＳで取付プレート５０Ｂが基枠４３Ｂに固定される。なお、前記取付プレート５０Ｂの後部には、前記軸受部材６６Ｂの前進時に軸受部６８Ｂと干渉するのを防ぐための切り欠き５２Ｂが形成されている。また、前記軸受部材６６Ｂの長さは、前記前枠４１が閉じて軸受部材６６Ｂが最大後方位置までスライドした際に、前記軸部挿通支持部６９Ｂが外枠２の軸着部材側側部後面２ａと面一又はそれより後方位置になる寸法とされる。
【００２０】
このようにして基枠４３Ｂに連結された機構板４５は、前記前枠４１を閉じた状態での開放時、まず後方へ引っ張られる。それによって前記軸受部材６６Ｂが基枠４３Ｂに対して後方へスライドし、前記軸部６４Ｂの位置に相当する軸着部材６０Ｂの回転中心位置が外枠２の軸着部材側側部後面２ａと面一又はそれより後方位置になり、その後の機構板４５の後方回転時に機構板４５の軸着部材側外面４６が外枠２の後縁２ｂと干渉するのを防ぐことができるようになる。なお、前記軸受部材６６Ｂの最大後方スライド位置では、前記外れ防止用突部７０Ｂが第３凹部４９Ｂの後端と衝突して、それ以上軸受部材６６Ｂが後方へスライドするのを阻止する。また、前記機構板４５を前方へ押しながら閉じることによって、前記軸受部材６６Ｂが前方へスライドするため、当該機構板４５を基枠４３Ｂの後部に近接させた状態で外枠２内に収容することができる。
【００２１】
次に、第１参考例に関して説明する。図２は、図１に示した第１参考例の遊技機１Ａにおける概略横断面を示すものであって、図ａは前枠を閉じた状態での機構板の後方開放時、図ｂは機構板の閉時を示す。前記外枠２は、所要の奥行きを有する枠形状からなり、従来技術における図１０で示した外枠７１と同様のものである。
【００２２】
前記外枠２の前面には前方へ開閉可能に前枠４１が取り付けられている。この前枠４１は、従来技術における図１０で示した前枠７３に相当するものである。前記前枠４１の外枠２に対する取り付けは、前枠４１と外枠２の一側縁（この例では左側側部）上下がヒンジ部材Ｈ（図１に示す）で連結されることにより行われている。前記前枠４１は、前面周縁が装飾面とされて飾りランプ等が設けられ、中央部にはガラス扉４２が開閉可能に設けられる。このガラス扉４２は、従来技術の図１０で示したガラス扉８１に相当し、その一側縁（この例では左側側部）がヒンジ部材（図示せず）で前枠４１の一側縁（左側側部）に連結されている。
【００２３】
前記前枠４１の後側には、前枠４１を外枠２に対して閉じた時に外枠２内となる位置に基枠４３Ａが固定される。この基枠４３Ａは、前記遊技盤３（図１に示す）を着脱可能に取り付けるためのものである。この参考例の基枠４３Ａは、前記前枠４１と別体とされ、ネジ等で前枠４１後面に固定されているが、基枠４３Ａと前枠４１をプラスチック等で一体に形成してもよい。
【００２４】
さらに、この第１参考例における基枠４３Ａは、一側縁（この例では左側側部）が、他側縁（この例では右側側部）よりも後方へ突出して、前記前枠４１の閉時に外枠２の一側縁（左側側部）の後面２ａ近くに位置するようになっている。そして、この基枠４３Ａの後方へ突出した側部４４の後部に、軸着部材６０Ａを介して機構板４５が連結されて開閉可能となっている。前記機構板４５は、遊技の進行に必要な各種部品を取り付けるためのものであり、従来技術の図１０で示した機構板７８に相当し、前記前枠４１を閉じた際に、少なくとも前側が外枠２内に収容される。
【００２５】
前記軸着部材６０Ａは、図３に示すように、垂直方向の軸部６４Ａを下向きに有する軸部材６１Ａと、前記軸部６４Ａを挿通支持するための孔形状からなる軸部挿通支持部６９Ａが形成された軸受部材６６Ａとよりなる。
【００２６】
この例の軸部材６１Ａは、水平面６２Ａと垂直面６３ＡとよりなるＬ字状に屈曲した金具の水平面６２Ａに下向きに軸部６４Ａが形成され、前記垂直面６３Ａに形成された固定用孔６５Ａに挿入したネジによって、前記機構板４５の一側縁（この例では左側側部）の上下２箇所にそれぞれ取り付けられている。また、この例の軸受部材６６Ａは、水平面６７Ａと垂直面６８ＡとよりなるＬ字状に屈曲した金具の水平面６７Ａに孔形状の軸部挿通支持部６９Ａが形成され、前記垂直面６８Ａに形成された固定用孔７０Ａに挿入したネジＳによって、前記基枠４３Ａの突出した側部（この例では左側側部）４４の後面における上下２箇所にそれぞれ取り付けられている。このようにして取り付けられた軸受部材６６Ａの軸部挿通支持部６９Ａは、前記前枠４１が閉じた状態で外枠２の軸着部材側側部（左側側部）後面２ａと面一又は該後面２ａよりも後方位置となっている。
【００２７】
そして、前記軸部材６１Ａの軸部６４Ａが軸受部材６６Ａの軸部挿通支持部６９Ａに上方から挿通されることにより機構板４５が開閉可能に基枠４３Ａに連結される。このように機構板４５が連結されることによって、前記前枠４１を閉じた状態における軸着部材６０Ａの軸部６４Ａの位置、すなわち、軸着部材６０Ａの回転中心位置が外枠２の軸着部材側側部後面２ａと面一または側部後面２ａよりも後方に位置することになり、図２の図ａに示すように、前記機構板４５を開閉する際に機構板４５の軸着部材側側部外面４６が外枠２の後縁２ｂに干渉しなくなる。なお、前記機構板４５の取り外しは、前記機構板４５が後方へ開いた状態で機構板４５を上方へ持ち上げ、前記軸部材６１Ａの軸部６４Ａを軸受部材６６Ａの軸部挿通支持部６９Ａから抜くことにより容易に行うことができる。
【００２８】
第２参考例について説明する。図７は、図１に示した第２参考例の遊技機１Ｃにおける概略横断面を示すものであって、図ａは機構板の開放時、図ｂは閉時である。この第２参考例の遊技機１Ｃにおいて、外枠２、前枠４１、機構板４５及びガラス扉４２は、第１参考例で説明したものとほぼ同じである。以下第１参考例とは異なる部分に付いて説明する。
【００２９】
前記外枠２の後側には、第１参考例と同様に、前記前枠４１を外枠２に対して閉じた時に外枠２内となる位置に基枠４３Ｃが固定される。この第２参考例における基枠４３Ｃは、前記機構板４５の連結側となる一側縁（この例では左側側部）を含む全体が、前記外枠２の後端より内方に位置するようになっている。そして、前記基枠４３Ｃの一側縁（左側側部）に、第２参考例の軸着部材６０Ｃを介して前記機構板４５の一側縁（この例では左側側部）が連結され、開閉可能とされている。
【００３０】
第２参考例の軸着部材６０Ｃは、図７の図ａ及び図８からよりよく理解されるように、前記機構板４５の一側縁（左側側部）に取り付けられる軸部材６１Ｃと、前記基枠の一側縁（左側側部）に取り付けられる軸受部材６６Ｃとよりなる。
【００３１】
前記軸部材６１Ｃは、第１参考例の軸部材６１Ａと同様の形状からなり、水平面６２Ｃと垂直面６３ＣとよりなるＬ字状に屈曲した金具の水平面６２Ｃに下向きに軸部６４Ｃが形成され、前記垂直面６３Ｃに形成された固定用孔６５Ｃに挿入したネジによって、前記機構板４５の一側縁（左側側部）における前側の上下２箇所にそれぞれ取り付けられている。
【００３２】
前記軸受部材６６Ｃは、水平面６７Ｃと垂直面６８ＣとよりなるＬ字状に屈曲した金具からなり、前記水平面６７Ｃには基枠４３Ｃの前後方向に沿う長孔形状からなる軸部挿通支持部６９Ｃが形成され、前記垂直面６８Ｃに形成された固定用孔７０Ｃに挿入したネジＳによって基枠４３Ｃの一側縁（左側側部）に取り付けられる。そして、前記軸部挿通支持部６９Ｃに上方から軸部材６１Ｃの軸部６４Ｃが挿入されることにより機構板４５が基枠４３Ｃに開閉可能に連結される。なお、前記軸受部材６６Ｃの水平面６７Ｃ及び軸部挿通支持部６９Ｃの前後方向長さは、前記前枠４１が閉じられた際に軸部挿通支持部６９Ｃの後端ｆが外枠２の軸着部材側側部の後面２ａと面一又はそれより後方位置となる寸法とされる。
【００３３】
前記遊技機１Ｃは、前記前枠４１を閉じた状態での機構板４５の後方開放時、該機構板４５を後方へ引っ張ると、前記軸部６４Ｃが軸部挿通支持部６９Ｃ内を後方へスライドする。それによって、前記軸部６４Ｃの位置に相当する軸着部材６０Ｃの回転中心位置が外枠２の軸着部材側側部の後面２ａと面一又はそれより後方位置になり、その後の機構板４５の回転時に機構板４５の軸着部材側外面４６が外枠２の後縁２ｂと干渉するのを防ぐことができる。また、前記機構板４５を閉じる際には、該機構板４５を前方へ押しながら閉じることによって、前記軸部６４Ｃが軸部挿通支持部６９Ｃ内を前方へスライドするため、前記基枠４３Ｃの後部に機構板４５を近接させた状態で外枠２内に収容することができる。
【００３４】
図９は他の参考例に係る軸着部材６０Ｄの分解斜視図である。この軸着部材６０Ｄは、伸縮可能なタイプの一つであり、一端に垂直方向の軸部６４Ｄが下向きに形成され、他端が水平に回動可能な取付部６５Ｄとなった回転アーム状の軸部材６１Ｄと、一端に上下に貫通した孔形状の軸部挿通支持部６９Ｄが形成され、他端が取付部７０Ｄとなった軸受部材６６Ｄとよりなる。この軸着部材６０Ｄの取り付けを図７に示した第２参考例の外枠２、前枠４１、機構板４５及び基枠４３Ｃ等を例にして示すと、前記軸部材６１Ｄが機構板４５の一側縁（この例では左側側部）の上下２箇所にネジで取り付けられ、前記軸受部材６６Ｄが前記軸部材６１Ｄと対応する基枠４３Ｃの一側縁（左側側部）の上下２箇所にネジで取り付けられ、前記軸部６４Ｄが軸部挿通支持部６９Ｄに挿通されることにより、前記基枠４３Ｃに機構板４５が開閉可能に連結される。
【００３５】
前記のようにして取り付けられた機構板４５は、前記前枠４１を閉じた状態での開放時に機構板４５を後方へ引っ張りながら回転させると、前記軸部材６１Ｄが軸受部材６６Ｄに対して一直線になるように回転して軸着部材６０Ｄが伸びる。その際、前記軸着部材挿通支持部６９Ｄを予め外枠２の軸着部材側側部後面（図７の２ａ）と面一又はそれより後方となるように軸受部材６６Ｄの長さを設定しておけば、前記機構板４５が外枠２の後縁（図７の２ｂ）と干渉することなく後方へ開く。また、前記機構板４５を前方へ回転させることにより軸着部材６０Ｄが折り畳まれて、前記機構板４５が基枠４３Ｃの後面に近接した状態となって外枠２内に収納される。
【００３６】
なお、伸縮タイプの軸着部材は、前記のものに限られず、ロッドアンテナ状に軸受部材又は軸部材が伸縮するものや、リンク機構により伸縮するタイプ等適宜のものを用いることができる。また、この発明における軸着部材は、前記実施例及び各参考例のものに限定されるものではなく、この発明の趣旨を逸脱しない範囲で適宜変更される。さらにまた、前記軸部材と軸受部材は、いずれが機構板側とされても、あるいは基枠側とされてもよい。
【００３７】
【発明の効果】
以上図示し説明したように、請求項１の発明に係る遊技機によれば、外枠と、前記外枠の前面に前方へ開閉可能に取り付けられた前枠と、前記前枠の閉時に外枠内となる前枠の後側に固定されて遊技盤が着脱可能に装着される基枠と、前記基枠の一側縁に軸着部材で連結されて当該基枠後側に対し軸着部材で開閉可能にされた機構板とを備え、前記前枠及び前記機構板の閉時に該機構板の少なくとも前側が前記外枠内に収容される遊技機において、前記軸着部材は、軸部が形成された軸部材と該軸部材を回転可能に支持する軸受部が形成された軸受部材とにより構成され、前記基枠と前記機構板の連結側一側縁の何れか一方に前記軸部材、他方に前記軸受部材が設けられ、前記前枠閉状態での前記機構板の開放時に該機構板の軸着部材側外面が前記外枠の軸着部材側後縁と干渉しないように、前記基枠に設けられた前記軸部材或いは前記軸受部材に前後方向へスライド可能とするスライド部と該スライド部の前部に突出した外れ防止用突部を形成し、前記軸部材或いは前記軸受部材を設けた前記基枠の一側縁に、前記スライド部が前後方向にスライド可能にはまる大きさのスライド部用凹部と、前記外れ防止用突部が前記基枠の後端近くまで前後方向にスライド可能にはまる大きさで前記スライド部用凹部よりも前後の幅を短くすると共に深さを深くして前記スライド部用凹部に形成された外れ防止用突部用凹部と、によって階段状凹部を形成し、前記階段状凹部には前記スライド部用凹部よりも深さが浅く上下幅が広い凹部が形成され、該凹部は前記スライド部用凹部に蓋をする取付プレートがはまる大きさに形成されると共に前記取付プレートが固定され、前記スライド部及び前記外れ防止用突部が前記階段状凹部と前記取付プレートとの間をスライドすることにより、前記軸着部材の回転中心位置が移動すると共に、前記外れ防止用突部が前記外れ防止用突部用凹部の後端に衝突して前記スライド部及び前記外れ防止用突部が前記基枠後方へスライドすることを阻止するから、前枠を閉じた状態で機構板を開閉する際に機構板が外枠に干渉しないように、基枠と機構板を連結する軸着部材の回転中心位置を定めたため、遊技機の製造時やメンテナンス等の際に前枠を開けることなく機構板を開閉でき、機構板の着脱や部品のメンテナンスが容易になる。さらに、軸着部材が軸部材と軸受部材からなるため、構造が複雑にならず、安価で取り扱いが容易であり、軸受部材又は軸部材のスライドによって、機構板を開閉する際に機構板が外枠と干渉しなくなるのみならず、機構板の閉時に機構板を基枠の後面に近接させて外枠内に収容できるので、遊技機の奥行きが大になるのを防ぐことができる。
【００３８】
さらに前記効果に加え、請求項２に係る発明の遊技機によれば、軸着部材の回転中心位置を外枠の軸着部材側側部後面と面一又はそれより後方とするだけでよいため、軸着部材の構造が簡単である。
【図面の簡単な説明】
【図１】  本発明の実施例及び各参考例の遊技機を示す正面図である。
【図２】  第１参考例に係る遊技機の概略横断面図である。
【図３】  第１参考例における軸着部材の分解斜視図である。
【図４】  実施例に係る遊技機の概略横断面図である。
【図５】  実施例における軸着部材付近の概略斜視図である。
【図６】  実施例における軸着部材の分解斜視図である。
【図７】  第２参考例に係る遊技機の概略横断面図である。
【図８】  第２参考例における軸着部材の分解斜視図である。
【図９】  さらに他の参考例に係る軸着部材の分解斜視図である。
【図１０】  従来の遊技機における外枠等の基本構造の概略を示す斜視図である。
【図１１】  従来の遊技機における概略横断面図である。
【符号の説明】
１Ａ，１Ｂ，１Ｃ  遊技機
２  外枠
３  遊技盤
４１  前枠
４３Ａ，４３Ｂ，４３Ｃ  基枠
４５  機構板
６０Ａ，６０Ｂ，６０Ｃ，６０Ｄ  軸着部材
６１Ａ，６１Ｂ，６１Ｃ，６１Ｄ  軸部材
６６Ａ，６６Ｂ，６６Ｃ，６６Ｄ  軸受部材
【図１】
0003641212.tif 000002
【図２】
0003641212.tif 000003
【図３】
0003641212.tif 000004
【図４】
0003641212.tif 000005
【図５】
0003641212.tif 000006
【図６】
0003641212.tif 000007
【図７】
0003641212.tif 000008
【図８】
0003641212.tif 000009
【図９】
0003641212.tif 000010
【図１０】
0003641212.tif 000011
【図１１】
0003641212.tif 000012